(57)【要約】【課題】バーナヘッドの誤セットと装置異常の発生を判別する手段を備えたガスコンロを実現する。【解決手段】ガスコンロ１０は、コンロバーナ２０と検出用回路３０とＣＰＵ５０を備えている。ＣＰＵ５０は、電源３２電位とグランド電位の間に設定されている第１閾値電位と、第１閾値電位Ｌ１と第２電位の間に設定されている第２閾値電位Ｌ２を用いて、下記の判別結果を出力する。（１）中間点４０の電位Ｖｍが、電源３２の電位と第１閾値電位Ｌ１の間の電位である場合には、バーナヘッド２２が誤セットされている。（２）中間点４０の電位Ｖｍが、第１閾値電位Ｌ１と第２閾値電位Ｌ２の間の電位である場合には、装置異常が発生しておらず、かつバーナヘッド２２がバーナボディ２６上に正しく載置されている。（３）中間点４０の電位Ｖｍが、第２閾値電位Ｌ２とグランド電位の間の電位である場合には、装置異常が発生している。【選択図】図２
2011127806.tif 000002
【特許請求の範囲】
【請求項１】
バーナボディと、
バーナボディ上に着脱自在に載置されるバーナヘッドと、
第１電位点と第１抵抗と第２抵抗と接触端子をその順に接続している検出用回路と、
第１抵抗と第２抵抗の中間点の電位を検出し、検出した電圧によって判別結果を出力する判別回路を備えており、
前記接触端子は、バーナボディにバーナヘッドが正しく載置されたときに第２電位点に接続される関係に置かれており、
前記判別回路は、第１電位と第２電位の間に設定されている第１閾値電位と、第１閾値電位と第２電位の間に設定されている第２閾値電位を用い、
（１）前記中間点の電位が、第１電位と第１閾値電位の間の電位である場合には、バーナヘッドがバーナボディ上に正しく載置されていないとする判断結果を出力し、
（２）前記中間点の電位が、第１閾値電位と第２閾値電位の間の電位である場合には、装置異常が発生しておらず、かつバーナヘッドがバーナボディ上に正しく載置されているとする判断結果を出力し、
（３）前記中間点の電位が、第２閾値電位と第２電位の間の電位である場合には、装置異常が発生しているとする判断結果を出力することを特徴とするガスコンロ。
【請求項２】
バーナボディは導電性であるとともに第２電位点に接続されており、
バーナヘッドは導電性であり、
前記接触端子は、バーナヘッドがバーナボディに正しく載置されたときにバーナヘッドと接触する位置に配置されており、バーナヘッドとバーナボディを介して第２電位点に接続されることを特徴とする請求項１に記載のガスコンロ。
【請求項３】
判別回路は、第１閾値電位と第２閾値電位の間に設定されている第３閾値電位を用い、（４）前記中間点の電位が、第１閾値電位と第３閾値電位の間の電位である場合には、バーナヘッドとバーナボディの間に基準量以上の汚れが堆積したとする判断結果を出力することを特徴とする請求項１または２に記載のガスコンロ。
【発明の詳細な説明】
【技術分野】
【０００１】
本発明は、バーナボディとバーナボディ上に着脱自在に載置されるバーナヘッドとで構成されるコンロバーナが設けられたガスコンロに関する。
【背景技術】
【０００２】
特許文献１には、コンロバーナが設けられたガスコンロが開示されている。このガスコンロは、バーナボディにバーナヘッドが正しく載置されたことを検知するバーナヘッド検知手段と、バーナヘッド検知手段でバーナヘッドが正しく載置されたと検出されないときに、コンロバーナを燃焼不能状態にする燃焼制限手段とを備える。この技術によれば、ユーザが、バーナボディにバーナヘッドが正しく載置されていないこと（つまり、バーナヘッドが誤セットされていること）に気づかない場合でも、コンロバーナが点火してしまうことを確実に防止することができる。これによって、バーナヘッドが誤セットされた状態で点火することによって発生する逆火等の危険事象の発生を確実に防止することができる。
【先行技術文献】
【特許文献】
【０００３】
【特許文献１】特開２００６−０２９６１２号公報
【発明の概要】
【発明が解決しようとする課題】
【０００４】
特許文献１のガスコンロでは、バーナヘッド検知手段が故障した場合に、バーナヘッドが誤セットされた時にはコンロバーナが点火してしまう。そのため、バーナヘッド検知手段が故障した時、すなわち装置異常が発生した場合に、燃焼制限手段によってコンロバーナが燃焼不能状態となるように設計される。しかし、ユーザはガスコンロを使用する際に、コンロバーナが燃焼不能状態になったとき、その原因がバーナヘッドの誤セットによるものか、あるいは装置異常によるものなのかを判別することができない。そのため、装置異常の検出が遅れる問題が生じる。
【０００５】
本発明は、バーナヘッドの誤セットと装置異常の発生を判別する手段を備えたガスコンロを提供することを目的とする。
【課題を解決するための手段】
【０００６】
本明細書に記載のガスコンロは、バーナボディとバーナヘッドと検出用回路と判別回路を備えている。バーナヘッドは、バーナボディ上に着脱自在に載置されている。検出用回路は、第１電位点と第１抵抗と第２抵抗と接触端子をその順に接続している。判別回路は、第１抵抗と第２抵抗の中間点の電位を検出し、検出した電圧によって判別結果を出力する。このガスコンロでは、バーナボディにバーナヘッドが正しく載置されたときに、接触端子が第２電位点に接続される関係に置かれている。このガスコンロでは、判別回路が、第１電位と第２電位の間に設定されている第１閾値電位と、第１閾値電位と第２電位の間に設定されている第２閾値電位を用い、以下の判断結果を出力する。
（１）中間点の電位が、第１電位と第１閾値電位の間の電位である場合には、バーナヘッドがバーナボディ上に正しく載置されていないとする判断結果を出力する。
（２）中間点の電位が、第１閾値電位と第２閾値電位の間の電位である場合には、装置異常が発生しておらず、かつバーナヘッドがバーナボディ上に正しく載置されているとする判断結果を出力する。
（３）中間点の電位が、第２閾値電位と第２電位の間の電位である場合には、装置異常が発生しているとする判断結果を出力する。
【０００７】
（前記（３）の装置異常が発生していない場合）
このガスコンロでは、バーナボディにバーナヘッドが正しく載置された場合、接触端子が第２電位点に接続される。そのため、中間点の電位は第１抵抗と第２抵抗の抵抗値によって分圧された電位となり、第１電位と第２電位の中間電位（以下、これを正常中間電位と呼ぶことがある。）となる。その一方、バーナボディにバーナヘッドが誤セットされた場合、接触端子は第２電位点に接続されず、第１抵抗と第２抵抗を通して第１電位点のみに接続された状態が維持される。この結果、中間点の電位も第１電位に維持される。本明細書に記載のガスコンロでは、判定回路が第１電位と正常中間電位の間の電位に設定された第１閾値電位を備えている。判定回路は、中間点の電位が第１閾値電位よりも第１電位側である場合には、バーナヘッドが誤セットされたと判別することができる。また、判定回路は、中間点の電位が第１閾値電位よりも第２電位側である場合には、バーナヘッドがバーナボディに正しく載置されたと判別することができる。
【０００８】
（前記（３）の装置異常が発生している場合）
このガスコンロでは、上述したように、ガスコンロに装置異常が発生していない場合には、バーナヘッドが誤セットされたか否かにかかわらず、中間点の電位が正常中間電位よりも第２電位側とならない。そのため、判別回路が正常中間電位よりも第２電位側となっていることを検出した場合、ガスコンロに何らかの装置異常が発生したことが解る。装置異常としては、例えば検出用回路の開故障（特に、第１電位点と第１抵抗の間の断線や第１抵抗の故障）、あるいは判別回路の故障等が存在する。本明細書に記載のガスコンロでは、第２閾値電位を正常中間電位と第２電位の間の電位に設定しておく。判定回路は、中間点の電位が第２閾値電位よりも第２電位側となった場合に、装置異常が発生していることを判断することができる。
【０００９】
本明細書に記載のガスコンロでは、バーナヘッドが誤セットされたか否かを検出する検出用回路において、判別回路が電位を検出する中間点と接触端子の間に第２抵抗を設けることを特徴とする。このガスコンロでは、装置異常が発生していない場合には、中間点の電位が第２電位となることがない。そのため、中間点の電位が第２電位となった場合に、装置異常の発生を検出することができる。これによって、バーナヘッドが誤セットされたか否かを検出する検出用回路を用いて装置異常を検出することができ、バーナヘッドの誤セットと装置異常の発生を判別することができる。
【００１０】
上記したガスコンロでは、バーナボディは導電性であるとともに第２電位点に接続されており、バーナヘッドは導電性であり、バーナヘッドがバーナボディに正しく載置されたときに接触端子がバーナヘッドと接触する位置に配置されていることが好ましい。
上記構造を備えることで、バーナヘッドがバーナボディに正しく載置されたときに、接触端子がバーナヘッドとバーナボディを介して第２電位点に接続される構成が実現される。
【００１１】
上記したガスコンロでは、判別回路が第１閾値電位と第２閾値電位の間に設定されている第３閾値電位をさらに用いて、以下の判断結果を出力することが好ましい。
（４）中間点の電位が、第１閾値電位と第３閾値電位の間の電位である場合には、バーナヘッドとバーナボディの間に基準量以上の汚れが堆積したとする判断結果を出力する。
【００１２】
ガスコンロでは、使用時の煮こぼれ等によりバーナヘッドとバーナボディの間に汚れが堆積することがある。ガスコンロには、バーナヘッドとバーナボディの間に汚れが堆積したことを判別する仕組みが求められる。
【００１３】
本明細書に記載のガスコンロでは、判別回路が第１閾値電位と第２閾値電位の間に設定されている第３閾値電位をさらに備えている。バーナヘッドとバーナボディの間に汚れが堆積すると、バーナヘッドとバーナボディの間の抵抗が増大する。この結果、バーナボディにバーナヘッドが正しく載置された際の中間点の電位が第１電位側に変動する。本明細書に記載のガスコンロでは、第３閾値電位を第１電位と正常中間電位の間の電位に設定しておく。中間点の電位が第３閾値電位を超えて第１閾値電位側へと変動した場合には、バーナヘッドとバーナボディの間に基準量以上の汚れが堆積したとする判断結果を出力する。このガスコンロでは、上記の判定結果に基づいて報知手段等で報知することによって、バーナヘッドとバーナボディの間に基準量以上の汚れが堆積した場合には、汚れを除去するようにユーザに促すことができる。
【発明の効果】
【００１４】
本明細書に記載のガスコンロによると、バーナヘッドの誤セットと装置異常の発生の両方を判別する手段を備えたガスコンロを実現することができる。
【図面の簡単な説明】
【００１５】
【図１】ガスコンロ１０を模式的に示す。
【図２】バーナヘッド２２がバーナボディ２６に正しく載置された状態のコンロバーナ２０を模式的に示す。
【図３】バーナヘッド２２がバーナボディ２６に誤セットされた状態のコンロバーナ２０を模式的に示す。
【図４】検出片２４と接触端子３８の拡大模式図を示す。
【図５】閾値電位Ｌ１，Ｌ２を模式的に示す。
【図６】装置異常が発生した状態のコンロバーナ２０を模式的に示す。
【図７】ガスコンロ１１０のコンロバーナ２０を模式的に示す。
【図８】閾値電位Ｌ１、Ｌ２、Ｌ３を模式的に示す。
【実施例１】
【００１６】
実施例１に係るガスコンロ１０について、図面を参照しながら説明する。図１に示すように、ガスコンロ１０の上面は、天板１２に覆われており、その天板１２には、バーナ用開口１４が設けられている。ガスコンロ１０の内部のバーナ用開口１４に臨む位置にコンロバーナ２０が配置されている。ガスコンロ１０の天板１２上のバーナ用開口１４に臨む位置に五徳１６が配置されている。これによって、天板１２上に五徳１６を介して載置する調理容器をコンロバーナ２０から放出される炎で加熱する構造が実現される。
【００１７】
図２に、ガスコンロ１０のコンロバーナ２０周辺の構造を模式的に示す。コンロバーナ２０は、バーナヘッド２２とバーナボディ２６によって構成されている。バーナボディ２６は導電性を有しており、グランド電位Ｖ２（第２電位の一例）に接続されている。バーナボディ２６は環状形状をしており、燃料ガスと空気を混合した混合気体をコンロバーナ２０へと導入する導入路２８が形成されている。バーナヘッド２２は導電性を有しており、皿状形状をしている。バーナヘッド２２の外周面のうち、バーナボディ２６と接する境界部には、歯形により外向きに開口する多数の炎孔２３が形成されている。また、バーナヘッド２２の下面には、下方にのびる検出片２４が形成されている。バーナボディ２６の検出片２４に対応する位置には、貫通孔が形成されている。バーナヘッド２２をバーナボディ２６に載置する際に、バーナヘッド２２にバーナボディ２６が正規位相で載置されると、検出片２４がバーナボディ２６に形成された貫通孔に差し込まれ、図２に示すように、コンロバーナ２０の全周に亘って炎孔２３が形成される。その一方、バーナヘッド２２にバーナボディ２６が正規位相で載置されないと、検出片２４がバーナボディ２６の貫通孔に差し込まれず検出片２４がバーナボディ２６と干渉し、図３に示すように、バーナヘッド２２が浮き上がりコンロバーナ２０の全周に炎孔２３を形成することができない。
【００１８】
ガスコンロ１０内部のコンロバーナ２０の周辺には、検出用回路３０とＣＰＵ５０（判別回路の一例）が設けられている。
検出用回路３０は、図２に示すように、バーナヘッド２２がバーナボディ２６に正規位相で載置されたか否かを検出するとともに、ガスコンロ１０の装置異常を検出するのに用いる回路であり、電源３２（第１電位点の一例）と第１抵抗３４と第２抵抗３６と接触端子３８がこの順に接続されて構成されている。
検出用回路３０の接触端子３８は、バーナヘッド２２がバーナボディ２６に正規位相で載置された際に、検出片２４と対応する位置にバーナボディ２６と絶縁されて配置されている。さらに詳しくは、バーナヘッド２２がバーナボディ２６に正規位相で載置されたときのバーナヘッド２２の位置を正規位置とすると、バーナヘッド２２が正規位置に存在するときに接触端子３８に検出片２４の先端が接触する位置に配置されている。そのため、図２に示すように、バーナヘッド２２が正規位置に存在する場合、接触端子３８はバーナヘッド２２と接触し、お互いに接触する導電体であるバーナヘッド２２とバーナボディ２６を介してグランド電位Ｖ２に接続される。その一方、図３に示すように、バーナヘッド２２が正規位置に存在しない場合（つまり、バーナヘッド２２がバーナボディ２６に誤セットされた場合）、接触端子３８はバーナヘッド２２と接触せず、接触端子３８は第１抵抗３４と第２抵抗３６を介して電源３２の電位に維持される。本実施例では、バーナボディ２６に正規位相で載置されたか否かによって接触端子３８の電位が変化する構造が実現されている。
【００１９】
図４に、検出片２４の先端と接触端子３８を拡大して示す。検出片２４の接触端子３８と接する下面は、凹型形状をしている。その一方、接触端子３８を支持するカバー部材３８ａの上面は、凸型形状をしており、接触端子３８は凸型形状を有するカバー部材３８ａの上面から突出している。また、接触端子３８はバーナヘッド２２が正規位置に存在する際にバーナヘッド２２が浮き上がらない程度の弾性力を有するバネ３９によって支持されている。本実施例のガスコンロ１０では、検出片２４と接触端子３８が上記の構造を有しているので、加熱中の調理容器からの煮こぼれが、検出片２４と接触端子３８の間に入り込むことが抑制される。これによって、検出片２４と接触端子３８の間に入り込んだ煮こぼれが、検出片２４と接触端子３８の間の抵抗を増大させ、バーナヘッド２２がバーナボディ２６に正規位相で載置されたにも関わらず、検出片２４と接触端子３８が導通しない事態の発生が抑制される。
【００２０】
ＣＰＵ５０は、電位検出端子５２を備えている。電位検出端子５２は、第１抵抗３４と第２抵抗３６の間の中間点４０に接続されており、中間点４０の電位Ｖｍを検出している。ＣＰＵ５０には、第１閾値電位Ｌ１と第２閾値電位Ｌ２が記憶されている。図５に示すように、第１閾値電位Ｌ１と第２閾値電位Ｌ２は、電源３２の電位Ｖ１とグランド電位Ｖ２の間に設定されており、第１閾値電位Ｌ１は第２閾値電位Ｌ２よりも高い電位に設定されている。バーナヘッド２２がバーナボディ２６に正規位相で載置された場合の中間点４０の電位である正常中間電位Ｖｍ０は、第１抵抗３４の抵抗値Ｒ１と第２抵抗３６の抵抗値Ｒ２と電源３２の電位Ｖ１とグランド電位Ｖ２を用いて次のように表される。
Ｖｍ０＝Ｖ２＋（Ｖ１−Ｖ２）×Ｒ２／（Ｒ１＋Ｒ２）
本実施例では、第１閾値電位Ｌ１が、電位Ｖ１と正常中間電位Ｖｍ０の間の電位に設定されている。また、第２閾値電位Ｌ２が、正常中間電位Ｖｍ０とグランド電位Ｖ２の間の電位に設定されている。ＣＰＵ５０は、この２つの閾値電位Ｌ１、Ｌ２を用いて中間点４０の電位Ｖｍを判別し、ガスコンロ１０の状態に関する判決結果を出力する。
【００２１】
本実施例のガスコンロ１０では、図２に示すように、検出用回路３０及びＣＰＵ５０に異常が発生しておらず、かつバーナヘッド２２がバーナボディ２６に正規位相で載置されている場合、中間点４０の電位Ｖｍが正常中間電位Ｖｍ０に設定される。この場合、ＣＰＵ５０は、中間点４０の電位Ｖｍが第１閾値電位Ｌ１と第２閾値電位Ｌ２の間の電位に存在することを判別し、バーナヘッド２２がバーナボディ２６に正規位相で載置されているとの判断結果を出力する。この場合、ガスコンロ１０では、ユーザによる点火作業によって導入路２８から導入された混合気体が炎孔２３から放出される。それと同時に、コンロバーナ２０の周囲に配置された点火プラグ（図示されていない）が作動し、バーナヘッド２２の周辺に設けられた炎孔２３から均一な炎が放射される。
【００２２】
本実施例のガスコンロ１０では、バーナヘッド２２がバーナボディ２６に正規位相で載置されていない場合、中間点４０の電位Ｖｍが電源３２の電位Ｖ１に設定される。ＣＰＵ５０は、中間点４０の電位Ｖｍが電位Ｖ１と第１閾値電位Ｌ１の間の電位に存在する場合に、バーナヘッド２２がバーナボディ２６に正規位相で載置されていないとの判断結果を出力する。ガスコンロ１０は、ＣＰＵ５０が上記の判断結果を出力した場合、ユーザによる点火作業が行われた場合でも、ガスコンロ１０はコンロバーナ２０に混合気体を導入しないように制御する。また、ガスコンロ１０は点火プラグを作動させないように制御する。これによって、ガスコンロ１０では、不完全燃焼の発生が確実に抑制される。また、ユーザは、点火作業をしても点火しないことから、バーナヘッド２２がバーナボディ２６に正規位相で載置されていないことを知ることができる。また、バーナヘッド２２がバーナボディ２６に正規位相で載置されていないままではコンロバーナ２０が点火しないことから、ユーザは、バーナヘッド２２がバーナボディ２６に正規位相で載置されるように直す作業を必ず実行することとなる。
【００２３】
ガスコンロ１０では、検出用回路３０及びＣＰＵ５０の故障等、装置異常が発生する場合がある。異常の例としては、図６に示すように、電源３２と第１抵抗３４の間の断線が起こりえる。この場合、中間点４０の電位Ｖｍはグランド電位Ｖ２に設定される。また、ＣＰＵ５０の電位検出端子５２が故障し、中間点４０の電位Ｖｍがグランド電位Ｖ２に設定されることもある。本実施例のガスコンロ１０では、ＣＰＵ５０が、中間点４０の電位Ｖｍが第２閾値電位Ｌ２と電位Ｖ２の間の電位にあることを検出した場合、装置異常が発生したとの判断結果を出力する。ガスコンロ１０は、ＣＰＵ５０が上記の判断結果を出力した場合、ユーザによる点火作業が行われた場合でも、ガスコンロ１０はコンロバーナ２０に混合気体を導入しないように制御する。また、ガスコンロ１０は点火プラグを作動させないように制御する。さらに、ガスコンロ１０は内在している報知手段（図示されていない）を用いて、ユーザに装置異常の発生を報知する。ユーザは、点火作業をしても点火しないこと、及びガスコンロ１０からの報知によって、ガスコンロ１０に装置異常が発生したことを確実に知ることができる。
【００２４】
本実施例のガスコンロ１０では、従来ではバーナヘッド２２の誤セットを検出するのに用いられていた検出用回路３０及びＣＰＵ５０を用いてガスコンロ１０の装置異常を検出することができる。つまり、バーナヘッド２２の誤セット及び装置異常という異なる２つの異常な状態を検出用回路３０及びＣＰＵ５０を用いて検出することができる。これにより、ガスコンロ１０の装置異常を検出するための手段をガスコンロ１０に新たに設ける必要がない。
【実施例２】
【００２５】
第２実施例に係るガスコンロ１１０について、図７、図８を参照して説明する。図８に示すように、第２実施例のガスコンロ１１０は、ＣＰＵ１５０が第１閾値電位Ｌ１と第２閾値電位Ｌ２の間に設定されている第３閾値電位Ｌ３を備えている点で、第１実施例のガスコンロ１０と異なる。ＣＰＵ５０は、この３つの閾値電位Ｌ１、Ｌ２、Ｌ３を用いて中間点４０の電位Ｖｍを判別し、ガスコンロ１０の状態に関する判定結果を出力する。なお、その他の構成は、第１実施例と同じであるため、同じ符号を用いて示し、その説明は省略する。
【００２６】
表１に、未使用のガスバーナと一般的な環境で８年使用したガスバーナにおけるＴＣとＣＯ％の試験結果を示す。「ＴＣ性能」とは、立消え安全装置の点火時の開弁時間であり、ユーザがガスコンロを点火動作してからバルブが開弁するまでに必要とされる時間を意味する。「ＣＯ％」とは、ガスコンロのバーナから排出される排気ガスに含まれる一酸化炭素の割合を意味する。ガスコンロ１１０では、使用時の煮こぼれ等によりバーナヘッド２２とバーナボディ２６の間に汚れが堆積することがある。バーナヘッド２２とバーナボディ２６の間に汚れが堆積すると、表１に示すように、ＴＣが延長される。ＴＣが延長されると、ガスコンロ１１０が点火するまでに放出される混合気体の量が増大する。また、バーナヘッド２２とバーナボディ２６の間に汚れが堆積すると、表１に示すように、ＣＯ％が増加する。ガスコンロ１１０では、バーナヘッド２２とバーナボディ２６の間の汚れを除去するようにユーザに報知することが求められる。
【００２７】
【表１】
2011127806.tif 000003
【００２８】
本実施例のガスコンロ１１０では、ＣＰＵが第１閾値電位Ｌ１と第２閾値電位Ｌ２の間に設定されており、かつ正常中間電位Ｖｍ０よりも高い電位に設定されている第３閾値電位Ｌ３を備えている。
ガスコンロ１１０では、煮こばれ等によりバーナヘッド２２とバーナボディ２６の間に汚れが堆積すると、バーナヘッド２２とバーナボディ２６の間の抵抗が増大する。これによって、中間点４０の電位Ｖｍが増大し、第３閾値電位を超えて上昇する。本実施例のガスコンロ１１０では、ＣＰＵ１５０が、中間点４０の電位Ｖｍが第１閾値電位Ｌ１と第３閾値電位Ｌ３の間の電位にあることを検出した場合、バーナヘッド２２とバーナボディ２６に堆積した汚れが基準量以上達したとの判断結果を出力する。ガスコンロ１１０は、内在している報知手段を用いてユーザにバーナヘッド２２とバーナボディ２６の清掃を促す。ユーザは、ガスコンロ１１０からの報知によって、バーナヘッド２２とバーナボディ２６に堆積した汚れが基準量以上達したことを確実に知ることができる。ここで、「基準量」とは、上記したＴＣやＣＯ％によるユーザへの健康被害を考慮して決定される量を意味する。
【００２９】
（その他の実施例）
上記各実施例では、検出用回路３０において第１抵抗３４と直列に接続される第２抵抗３６が設けられている。しかしながら、第２抵抗３６として機能するものが存在する場合には、必ずしも第２抵抗３６を設ける必要はない。例えば、バーナヘッド２２またはバーナボディ２６の内部に抵抗成分が存在する場合には、その抵抗成分によって第２抵抗３６を構成してもよい。また、バーナヘッド２２とバーナボディ２６との間の接触抵抗、あるいは検出片２４と接触端子３８の間の接触抵抗が存在する場合には、その抵抗成分によって第２抵抗３６を構成してもよい。
【００３０】
また、上記各実施例では、バーナヘッド２２がバーナボディ２６に正規位相で載置されている場合、接触端子３８はバーナヘッド２２及びバーナボディ２６を介してグランド電位Ｖ２に接続される。しかしながら、接触端子３８はバーナヘッド２２及びバーナボディ２６を介さずにグランド電位Ｖ２に接続されてもよい。例えば、バーナヘッド２２が正規位置に存在する場合に、検出片２４の先端が達する位置にスイッチを設けておき、バーナヘッド２２がバーナボディ２６に正規位相で載置された場合に、このスイッチが接触端子と第２電位とを接続するように構成してもよい。上記のように構成しても、バーナヘッド２２の誤セット及び装置異常という異なる２つの異常な状態を検出用回路３０及びＣＰＵ５０を用いて検出することができる。その一方、この方法では、バーナヘッド２２とバーナボディ２６の間の抵抗を検出することができず、バーナヘッド２２とバーナボディ２６の間に堆積する汚れを検出することはできない。バーナヘッド２２とバーナボディ２６の間に堆積する汚れを検出する必要がある場合には、接触端子３８がバーナヘッド２２及びバーナボディ２６を介してグランド電位Ｖ２に接続されることが好ましい。
【００３１】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００３２】
１０、１１０  ガスコンロ
２０   コンロバーナ
２２   バーナヘッド
２３   炎孔
２４   検出片
２６   バーナボディ
２８   導入路
３０   検出用回路
３２   電源
３４   第１抵抗
３６   第２抵抗
３８   接触端子
４０   中間点
５０、１５０  ＣＰＵ
５２、１５２  電位検出端子
Ｌ１   第１閾値電位
Ｌ２   第２閾値電位
Ｌ３   第３閾値電位
Ｖｍ０ 正常中間電位
【図１】
2011127806.tif 000004
【図２】
2011127806.tif 000005
【図３】
2011127806.tif 000006
【図４】
2011127806.tif 000007
【図５】
2011127806.tif 000008
【図６】
2011127806.tif 000009
【図７】
2011127806.tif 000010
【図８】
2011127806.tif 000011